(57)【要約】【課題】良好な取り扱い性を有するアンプルを提供する。【解決手段】内容物の取り出し孔２４が形成された第１天板部２２、および第１天板部２２の外周縁に垂設された第１周壁部２３が備えられ、容器本体１１の口部１２に装着された装着キャップ２１と、表面に操作柱部３５が立設された第２天板部３２、および第２天板部３２の外周縁に垂設された第２周壁部３３が備えられ、装着キャップ２１に着脱可能に取り付けられて取り出し孔２４を開閉する蓋キャップ３１と、が備えられ、第１周壁部２３の基端と第２周壁部３３の開放端３３ａとがヒンジ部４１を介して連結され、第２周壁部３３の開放端３３ａにおいてヒンジ部４１の配設位置を除いた少なくとも一部に、破断可能な弱化部４２を介して舌板４３が垂設されるとともに、この舌板４３が少なくとも第１天板部２２側への移動が規制された状態で第１周壁部２３の外周面に取り付けられている。【選択図】図１
2008179407.tif 000002
【特許請求の範囲】
【請求項１】
内容物が充填される有底筒状の容器本体と、
内容物の取り出し孔が形成された第１天板部、およびこの第１天板部の外周縁に垂設された第１周壁部が備えられ、前記容器本体の口部に装着された装着キャップと、
表面に操作柱部が立設された第２天板部、およびこの第２天板部の外周縁に垂設された第２周壁部が備えられ、前記装着キャップに着脱可能に取り付けられて前記取り出し孔を開閉する蓋キャップと、が備えられ、
前記第１周壁部の基端と第２周壁部の開放端とがヒンジ部を介して連結され、
前記第２周壁部の開放端において前記ヒンジ部の配設位置を除いた少なくとも一部に、破断可能な弱化部を介して舌板が垂設されるとともに、この舌板が少なくとも前記第１天板部側への移動が規制された状態で前記第１周壁部の外周面に取り付けられていることを特徴とするアンプル。
【請求項２】
請求項１記載のアンプルであって、
前記第１天板部の表面において前記取り出し孔と同軸に取り出し筒部が立設され、この取り出し筒部と、前記第２天板部の裏面に垂設された嵌合筒部とが着脱可能に嵌合していることを特徴とするアンプル。
【発明の詳細な説明】
【技術分野】
【０００１】
本発明はアンプルに関するものである。
【背景技術】
【０００２】
アンプルとして、従来から例えば下記特許文献１に示されるように、内容物が充填される有底筒状の容器本体の上端開口部に、この容器本体の胴部よりも小径の操作柱部が、破断可能な弱化部を介して連結された構成が知られている。この種のアンプルでは、内容物を取り出す際、容器本体を把持した状態で操作柱部を押し倒して弱化部を破断し、容器本体の上端開口部を開口した後に、この上端開口部から内容物を取り出せるようになっている。
【特許文献１】特許第３４７７０７９号公報
【発明の開示】
【発明が解決しようとする課題】
【０００３】
しかしながら、前記従来のアンプルでは、弱化部を破断したときに、内容物の取り出し孔としての前記上端開口部にバリが発生したり、あるいは破砕片が容器本体内に進入したりするおそれがあった。
また、一旦、前述のようにアンプルを開封すると、前記上端開口部を閉栓することができないため、内容物を一度で使い切らなければならず、充填する内容物の種類が限定されていた。
そこで近年では、以上のような問題を解決してアンプルの取り扱い性を向上させることに対する要望がある。
【０００４】
本発明は、このような事情を考慮してなされたもので、取り扱い性が良好なアンプルを提供することを目的とする。
【課題を解決するための手段】
【０００５】
上記課題を解決して、このような目的を達成するために、本発明のアンプルは、内容物が充填される有底筒状の容器本体と、内容物の取り出し孔が形成された第１天板部、およびこの第１天板部の外周縁に垂設された第１周壁部が備えられ、前記容器本体の口部に装着された装着キャップと、表面に操作柱部が立設された第２天板部、およびこの第２天板部の外周縁に垂設された第２周壁部が備えられ、前記装着キャップに着脱可能に取り付けられて前記取り出し孔を開閉する蓋キャップと、が備えられ、前記第１周壁部の基端と第２周壁部の開放端とがヒンジ部を介して連結され、前記第２周壁部の開放端において前記ヒンジ部の配設位置を除いた少なくとも一部に、破断可能な弱化部を介して舌板が垂設されるとともに、この舌板が少なくとも前記第１天板部側への移動が規制された状態で前記第１周壁部の外周面に取り付けられていることを特徴とする。
この発明によれば、前記弱化部が第２周壁部の開放端に設けられているので、前記取り出し孔の開口周縁部にバリを発生させることなく、弱化部を破断してアンプルを開封することが可能になるとともに、この弱化部を破断したときにたとえ破砕片が発生しても、この破砕片が取り出し孔から容器本体内に進入するのを防ぐことができる。
しかも、装着キャップの第１周壁部の基端と、蓋キャップの第２周壁部の開放端と、がヒンジ部を介して連結されているので、アンプル容器を開封した後であっても、蓋キャップを開封時とは逆方向にヒンジ部回りに回動することにより、再度、この取り出し孔を閉栓することが可能になる。
ここで、このアンプルは、まず容器本体を把持した状態で操作柱部をヒンジ部に向けて押し倒すように押圧して前記弱化部を破断し、その後さらに継続して操作柱部を押圧したときに、この操作柱部とともに蓋キャップの全体がヒンジ部回りに回動することにより、蓋キャップが取り出し孔から離れこの取り出し孔が開口することによって開封できるようになっている。したがって、従来と同様の操作でアンプルを開封することができる。
【０００６】
ここで、前記第１天板部の表面において前記取り出し孔と同軸に取り出し筒部が立設され、この取り出し筒部と、前記第２天板部の裏面に垂設された嵌合筒部とが着脱可能に嵌合してもよい。
この場合、第１天板部の表面に取り出し筒部が立設されているので、弱化部を破断したときに破砕片が発生しても、この破砕片が容器本体内に進入するのをより一層確実に防ぐことができる。
また、取り出し筒部と嵌合筒部とが着脱可能に嵌合しているので、一旦アンプルを開封した後、再度取り出し孔を閉栓したときに、蓋キャップを装着キャップに対して安定させることができる。
【発明の効果】
【０００７】
この発明に係るアンプルによれば、取り扱い性を向上することができる。
【発明を実施するための最良の形態】
【０００８】
以下、図面を参照し、この発明の実施の形態について説明する。本実施形態に係るアンプル１０は、図１から図３に示されるように、内容物が充填される有底筒状の容器本体１１と、容器本体１１の口部１２に装着された装着キャップ２１と、この装着キャップ２１に着脱可能に取り付けられた蓋キャップ３１と、が備えられている。
容器本体１１は、胴部１３と、この胴部１３の上端から上方に向かうに従い漸次縮径された肩部１４と、を備え、前記口部１２は肩部１４の上端から上方に向けて延在している。なお、胴部１３、肩部１４および口部１２はそれぞれ、横断面視円環状に形成されるとともに、共通軸上に位置させられた状態で、例えば合成樹脂若しくはガラス等により一体に形成されている。以下、前記共通軸を中心軸線Ｏという。
【０００９】
装着キャップ２１は、内容物の取り出し孔２４が形成された第１天板部２２と、この第１天板部２２の外周縁に垂設された第１周壁部２３とを備えている。
本実施形態では、第１天板部２２の裏面に容器本体１１の口部１２に嵌合する第１嵌合筒部２５が垂設されるとともに、この第１天板部２２の表面において第１嵌合筒部２５と同軸に取り出し筒部２６が立設されて、これらの第１嵌合筒部２５および取り出し筒部２６の各内部が取り出し孔２４を介して連通している。また、装着キャップ２１を容器本体１１の口部１２に装着した状態で、第１天板部２２の裏面と口部１２の上端開口縁とが密接するようになっている。さらに、第１嵌合筒部２５、取り出し筒部２６および取り出し孔２４はそれぞれ、前記中心軸線Ｏ上に配置されている。
【００１０】
蓋キャップ３１は、第２天板部３２とこの第２天板部３２の外周縁に垂設された第２周壁部３３とを備えている。そして、第２天板部３２の裏面に、装着キャップ２１の取り出し筒部２６の上端開口部の内面に着脱可能に嵌合した第２嵌合筒部（嵌合筒部）３４が垂設されるとともに、この第２天板部３２の表面において第２嵌合筒部３４と同軸に操作柱部３５が立設されている。ここで、取り出し筒部２６の上端開口部と第２嵌合筒部３４とはアンダーカット嵌合している。また、取り出し筒部２６の上端開口縁と、第２天板部３２の裏面とは密接している。
【００１１】
なお、第２嵌合筒部３４および操作柱部３５はそれぞれ、前記中心軸線Ｏ上に配置されている。また、操作柱部３５は有頂筒状に形成され、その内部は、第２天板部３２に形成された貫通孔３６を介して第２嵌合筒部３４の内部と連通している。これにより、操作柱部３５の内部は、貫通孔３６、第２嵌合筒部３４、取り出し筒部２６、取り出し孔２４および第１嵌合筒部２５を介して容器本体１１の内部と連通している。
【００１２】
そして、本実施形態では、装着キャップ２１の第１周壁部２３の基端、つまり第１周壁部２３の第１天板部２２との連結部分と、蓋キャップ３１の第２周壁部３３の開放端３３ａと、がヒンジ部４１を介して連結されている。また、蓋キャップ３１、装着キャップ２１およびヒンジ部４１は、合成樹脂により一体に形成されている。
【００１３】
さらに、蓋キャップ３１の第２周壁部３３の開放端３３ａにおいてヒンジ部４１の配設位置を除いた少なくとも一部に、破断可能な弱化部４２を介して舌板４３が垂設されている。図示の例では、弱化部４２および舌板４３は、第２周壁部３３の開放端３３ａにおいて、前記中心軸線Ｏを径方向で挟んだヒンジ部４１の反対側に設けられている。また、弱化部４２は、第２周壁部３３および舌板４３それぞれの厚さよりも薄く形成され、破断可能に構成されている。
【００１４】
ここで、舌板４３は、装着キャップ２１の第１周壁部２３の外周面に、少なくとも上方（第１天板部２２側）への移動が規制された状態で取り付けられている。本実施形態では、第１周壁部２３の外周面において舌板４３と対向する位置、および舌板４３にそれぞれ、互いに係合可能な係合部４４、４５が形成されている。図示の例では、第１周壁部２３の外周面に形成された係合部４４は、径方向外方に向けて突設された係合突部とされ、舌板４３に形成された係合部４５は前記係合突起が係合する貫通孔となっている。これにより、舌板４３は、上方のみならず下方および周方向の移動が規制され、かつ第１周壁部２３の径方向外方へは移動自在とされた状態で、第１周壁部２３の外周面に取り付けられている。なお、第１周壁部２３の外周面に形成された係合部４４の突出量は、舌板４３の厚さと同等になっている。
【００１５】
また、本実施形態では、第１周壁部２３の外周面に、径方向内方に向けて凹み、かつ舌板４３の外縁形状と同形同大の収納凹部４６が形成されており、舌板４３を第１周壁部２３の外周面に取り付けた状態で、第１周壁部２３の外周面からの舌板４３の径方向外方に向けた突出量が抑えられるようになっている。なお、収納凹部４６の底面に前記係合部４４（係合突起）が設けられている。
【００１６】
ここで、本実施形態では、図１に二点鎖線で示されるように、舌板４３は、弱化部４２を破断させることなくこの弱化部４２回りに上下方向に回動できるようになっている。
これにより、容器本体１１に内容物を充填するに際し、口部１２に装着キャップ２１を装着するとともに、舌板４３を弱化部４２回りに上方に回動した状態で、蓋キャップ３１をヒンジ部４１回りに回動し、第２嵌合筒部３４を取り出し筒部２６から外して取り出し孔２４を開口し、その後、内容物を取り出し筒部２６から取り出し孔２４を通して容器本体１１に充填できるようになっている。
すなわち、内容物を充填する方法として、容器本体１１に内容物を充填した後に、装着キャップ２１を容器本体１１に装着する方法のみならず、前述のように容器本体１１に装着キャップ２１を装着した状態でも内容物を充填できるようになっている。
【００１７】
以上のように構成されたアンプル１０は、容器本体１１を把持した状態で操作柱部３５をヒンジ部４１に向けて押し倒すように押圧して弱化部４２を破断し、その後さらに継続して操作柱部３５を押圧したときに、この操作柱部３５とともに蓋キャップ３１の全体がヒンジ部４１回りに回動することにより、蓋キャップ３１の第２嵌合筒部３４が装着キャップ２１の取り出し筒部２６の上端開口部から外され、取り出し孔２４が開口することによって開封されるようになっている。
【００１８】
これにより、容器本体１１の内部が、第１嵌合筒部２５、取り出し孔２４、および取り出し筒部２６を介して外部と連通する。この際、舌板４３は、前記係合部４４、４５が互いに係合したまま第１周壁部２３の外周面上に残存する。
そして、例えば内容物の一部を使った後は、蓋キャップ３１を開封時とは逆方向にヒンジ部４１回りに回動して、蓋キャップ３１の第２嵌合筒部３４を装着キャップ２１の取り出し筒部２６の上端開口部に嵌合することにより、容器本体１１の内容物を再度密封することができる。
【００１９】
以上説明したように本実施形態に係るアンプル１０によれば、弱化部４２が第２周壁部３３の開放端３３ａに設けられているので、取り出し孔２４の開口周縁部にバリを発生させることなく、弱化部４２を破断してアンプル１０を開封することが可能になるとともに、この弱化部４２を破断したときにたとえ破砕片が発生しても、この破砕片が取り出し孔２４から容器本体１１内に進入するのを防ぐことができる。
【００２０】
しかも、装着キャップ２１の第１周壁部２３の基端と、蓋キャップ３１の第２周壁部３３の開放端３３ａと、がヒンジ部４１を介して連結されているので、アンプル１０を開封した後であっても、蓋キャップ３１を開封時とは逆方向にヒンジ部４１回りに回動することにより、再度、この取り出し孔２４を閉栓することが可能になる。
【００２１】
また、本実施形態では、第１天板部２２の表面に取り出し筒部２６が立設されているので、弱化部４２を破断したときに破砕片が発生しても、この破砕片が容器本体１１内に進入するのをより一層確実に防ぐことができる。
さらに、取り出し筒部２６に第２嵌合筒部３４が着脱可能に嵌合しているので、一旦アンプル１０を開封した後、再度取り出し孔２４を閉栓したときに、蓋キャップ３１を装着キャップ２１に対して安定させることができる。
特に、本実施形態では、取り出し筒部２６と第２嵌合筒部３４とがアンダーカット嵌合しているので、蓋キャップ３１を装着キャップ２１に対して確実に安定させることができる。
【００２２】
なお、本発明の技術的範囲は前記実施の形態に限定されるものではなく、本発明の趣旨を逸脱しない範囲において種々の変更を加えることが可能である。
例えば、前記実施形態では、弱化部４２として、第２周壁部３３および舌板４３それぞれの厚さよりも薄く形成した構成を示したが、これに代えて、第２周壁部３３の開放端３３ａと舌板４３との連結部分に微小貫通孔を周方向に互いに間隔をあけて複数形成した構成、若しくは前記連結部分に周方向に延びる長穴を一つ形成した構成を採用してもよい。
【００２３】
さらに、操作柱部３５は前記実施形態に代えて例えば中実にしてもよい。
また、容器本体１１の内容物は、例えば図示されないストローを取り出し筒部２６から容器本体１１の内部に差し込み、このストローを通して吸引して外部に取り出すようにしてもよいし、あるいは取り出し筒部２６から直接、内容物を取り出して使用してもよい。
さらに、容器本体１１に充填される内容物は、液体に限らず、例えば固体や流動体等であってもよい。
【００２４】
また、舌板４３は、蓋キャップ３１の第２周壁部３３の開放端３３ａにおいてヒンジ部４１の配設位置を除いた少なくとも一部であれば、いずれに設けてもよいし、複数設けてもよい。
さらに、舌板４３を、上方への移動を規制した状態で第１周壁部２３の外周面に取り付ける手段として、前記係合部４４、４５を採用したが、これに限らず種々の手段を採用してもよい。例えば、第１周壁部２３の外周面に径方向内方に向けて凹む凹部を形成し、舌板４３に前記凹部に係合可能な突部を形成してもよい。
【００２５】
また、第１周壁部２３の外周面に収納凹部４６は形成しなくてもよい。
さらに、前記実施形態では、取り出し筒部２６の上端開口部の内面に、第２嵌合筒部３４が着脱可能に嵌合された構成を示したが、これとは逆に、第２嵌合筒部３４の内面に取り出し筒部２６が着脱可能に嵌合された構成を採用してもよい。
【産業上の利用可能性】
【００２６】
良好な取り扱い性を有するアンプルを提供する。
【図面の簡単な説明】
【００２７】
【図１】本発明に係る一実施形態として示したアンプルの一部縦断面図である。
【図２】図１に示すアンプルの上面図である。
【図３】図１に示すアンプルを開封した状態を示す全体側面図である。
【符号の説明】
【００２８】
１０  アンプル
１１  容器本体
１２  口部
２１  装着キャップ
２２  第１天板部
２３  第１周壁部
２４  取り出し孔
２５  第１嵌合筒部
２６  取り出し筒部
３１  蓋キャップ
３２  第２天板部
３３  第２周壁部
３３ａ  開放端
３４  第２嵌合筒部（嵌合筒部）
３５  操作柱部
４１  ヒンジ部
４２  弱化部
４３  舌板
【図１】
2008179407.tif 000003
【図２】
2008179407.tif 000004
【図３】
2008179407.tif 000005